(57)【要約】  【課題】ユーザーに対して未再生番組の視聴を一層効果的に促すことができる記録再生装置を提供すること。  【解決手段】記録手段１６０に複数の番組データを記録するとともにこの記録手段１６０に記録された番組データを再生部となるテレビ部１４０に再生するＨＤレコーダ１００において、記録手段１６０に記録されている番組データの中の過去に再生されたことのない未再生番組データ１６０Ａを、テレビ部１４０の受信設定の無い未使用チャンネルに出力する。  【選択図】図１
2007318428.tif 000002
【特許請求の範囲】
【請求項１】
記録手段に複数の番組データを記録するとともにこの記録手段に記録された番組データを再生部に再生する記録再生装置において、
上記記録手段に記録されている番組データの中の過去に再生されたことのない未再生番組データを、上記再生部の受信設定の無い未使用チャンネルに出力することを特徴とする記録再生装置。
【請求項２】
前記未使用チャンネルが選択されているときに、未再生番組データを消去する未再生番組データ消去手段を備えることを特徴とする請求項１に記載する記録再生装置。
【請求項３】
前記未再生番組データを最後まで再生した後に、この再生された前記未再生番組データを他の記録手段にダビングするかしないかをたずねるダビング確認手段と、
上記再生された未再生番組データを上記他の記録手段に記録するダビング手段と、
を備えることを特徴とする請求項１に記載する記録再生装置。
【請求項４】
前記未再生番組データを過去に再生されたことのある既再生番組データにデータの種別を変更するデータ種別変更手段を備えることを特徴とする請求項１に記載の記録再生装置。
【請求項５】
前記未使用チャンネルの選択を検出する未使用チャンル選択検知手段と、前記未使用チャンネルが選択されてからの時間を計時する計時手段とを備え、
前記データ種別変更手段は、前記未使用チャンネルが継続して選択された場合に、この継続時間中に前記未使用チャンネルに再生されている前記未再生番組データのデータ量が所定量以上、または所定量を超えた場合に、前記未再生番組データのデータ種別を、前記既再生番組データに変更することを特徴とする請求項４に記載の記録再生装置。
【請求項６】
記録手段に複数の番組データを記録するとともにこの記録手段に記録された番組データを再生部に再生する記録再生装置において、
上記再生部における受信設定の無い未使用チャンネルに、上記記録手段に記録されている過去に再生されたことのない未再生番組データに関する情報が示される未再生番組情報表の情報表示データを出力することを特徴とする記録再生装置。
【請求項７】
記録手段に複数の番組データを記録するとともにこの記録手段に記録された番組データを再生部に再生する記録再生方法において、
上記記録手段に記録されている番組データの中の過去に再生されたことのない未再生番組データを、上記再生部の受信設定の無い未使用チャンネルに出力することを特長とする記録再生方法。
【発明の詳細な説明】
【技術分野】
【０００１】
本発明は、記録再生装置に関するものである。
【背景技術】
【０００２】
ＶＨＳビデオテープ等のテープ媒体を用いたＴＶ番組の記録再生装置に替わって、近年、ハードディスク、ＤＶＤ等の大容量かつランダムサクセスが可能な記録媒体を用いた記録再生装置が普及しつつある。かかる記録媒体を用いることにより、必要な番組だけを録画するのではなく、番組の内容に拘らず、まとめて複数の番組を録画し、後で、録画した番組の中から、視聴したい番組を選んで再生することが可能となる。
【０００３】
しかしながら一方で、録画する番組が多くなると、録画したきり一度も再生されない番組（未再生番組）が発生するという問題があった。係る問題に鑑み、特開２００２−１００１５８においては、未再生番組が、ユーザー（視聴者）が設定した条件に合致した場合に、未再生番組が在ることを示すメッセージをＴＶ画面に表示することが提案されている。
【０００４】
【特許文献１】特開２００２−１００１５８号公報
【発明の開示】
【発明が解決しようとする課題】
【０００５】
しかしながら、メッセージが表示された場合、ユーザーは、その内容を確認するために再生操作を行なわなければならず面倒である。そのため、ユーザーは改めて再生操作を行なうには至らず、未再生番組が残り続けてしまい、ついには記録媒体の記録容量が不足してしまうという問題がある。
【０００６】
そこで、本発明は、上術の問題を解決するため、ユーザーに対して未再生番組の視聴を一層効果的に促すことができる記録再生装置を提供することを目的とする。
【課題を解決するための手段】
【０００７】
上述の課題を解決するため、本発明の録画再生装置は、記録手段に複数の番組データを記録するとともにこの記録手段に記録された番組データを再生部に再生する記録再生装置において、記録手段に記録されている番組データの中の過去に再生されたことのない未再生番組データを、再生部の受信設定の無い未使用チャンネルに出力することとする。
【０００８】
また、他の発明は、上述の発明に加え、未使用チャンネルが選択され、未再生番組データが再生されているときに、この未再生番組データを消去する未再生番組データ消去手段を備えることとする。
【０００９】
また、他の発明は、上述の発明に加え、未再生番組データを最後まで再生した後に、この再生された未再生番組データを他の記録手段にダビングするかしないかをたずねるダビング確認手段と、再生された未再生番組データを他の記録手段に記録するダビング手段と
を備えることとする。
【００１０】
また、他の発明は、上述の発明に加え、未再生番組データを過去に再生されたことのある既再生番組データにデータの種別を変更するデータ種別変更手段を備えることとする。
【００１１】
また、他の発明は、上述の発明に加え、未使用チャンネルの選択を検出する未使用チャンル選択検知手段と、未使用チャンネルが選択されてからの時間を計時する計時手段とを備え、データ種別変更手段は、未使用チャンネルが継続して選択された場合に、この継続時間中に未使用チャンネルに再生されている未再生番組データのデータ量が所定量以上、または所定量を超えた場合に、未再生番組データのデータ種別を、既再生番組データに変更することとする。
【００１２】
上述の課題を解決するため、本発明の録画再生装置は、記録手段に複数の番組データを記録するとともにこの記録手段に記録された番組データを再生部に再生する記録再生装置において、再生部における受信設定の無い未使用チャンネルに、記録手段に記録されている過去に再生されたことのない未再生番組データに関する情報が示される未再生番組情報表の情報表示データを出力することとする。
【００１３】
上述の課題を解決するため、本発明の録画再生方法は、記録手段に複数の番組データを記録するとともにこの記録手段に記録された番組データを再生部に再生する記録再生方法において、記録手段に記録されている番組データの中の過去に再生されたことのない未再生番組データを、再生部の受信設定の無い未使用チャンネルに出力することとする。
【発明の効果】
【００１４】
本発明の録画再生装置によれば、ユーザーに対して未再生番組の視聴を効果的に促すことができる。
【発明を実施するための最良の形態】
【００１５】
以下に、図１を参照しながら、本発明に係る記録再生装置であるハードディスクレコーダ（以下、ＨＤレコーダという）１００の構成を説明する。先ず、ＨＤレコーダ１００の構成の概略とその動作を説明する。
【００１６】
本実施の形態で示すＨＤレコーダ１００は、テレビ受像機が一体に構成されたいわゆるハードディスクドライブ内蔵型テレビとして構成されている。図１は、ＨＤレコーダ１００の構成を示すブロック図である。
【００１７】
本実施の形態に係るＨＤレコーダ１００は、ＣＰＵ（Ｃｅｎｔｒａｌ Ｐｒｏｃｅｓｓｉｎｇ Ｕｎｉｔ）により構成される制御部１１０を備えている。制御部１１０は、システムバス１１１を介して、チューナ部１２０、電子番組表（以下、ＥＰＧ（Ｅｌｅｃｔｒｏｎｉｃ Ｐｒｏｇｒａｍ Ｇｕｉｄ）と記載する。）処理部１３０、再生部としてのテレビ部１４０、操作部１５０、ハードディスクを記録媒体とする記録手段としての記録部１６０およびＤＶＤを記録媒体とする他の記録手段としての記録部１６１、出力チャンネル切替部１７０等と接続されている。そして、制御部１１０は、この制御部１１０に内蔵されたＲＯＭ（Ｒｅａｄ Ｏｎｌｙ Ｍｅｍｏｒｙ、図示省略）に予め格納してある制御プログラムに従い、ＨＤレコーダ１００の動作制御を行う。
【００１８】
チューナ部１２０は、アンテナ部１１２に接続され、このアンテナ部１１２は、例えば、放送基地Ｋから発信された番組データを電波信号として受信する。また、このアンテナ部１１２では、番組データの電波の隙間を使ってテレビ放送局等から配信されるテレビの番組表であるいわゆるＥＰＧのデータについても電波信号として受信する。そして、チューナ部１２０を介して番組データとともに、ＥＰＧ処理部１３０に出力する。ＥＰＧ処理部１３０は、チューナ部１２０で受信された番組データおよびＥＰＧデータについて分離を行う。
【００１９】
テレビ受像機としてのテレビ部１４０は、チューナ部１２０で受信された電波の周波数の中から希望する番組の電波を選択しテレビ部１４０に入力させるチャンネル選択部１４１およびモニタ部１４２等を備える。なお、モニタ部１４２は、いわゆるブラウン管モニタの他、液晶ディスプレイあるいはプラズマディスプレイ等により構成することができる。
【００２０】
ＥＰＧ処理部１３０から出力された番組データは、操作部１５０に備えられる録画スイッチ１５０ａを操作することにより、モニタ部１４２に番組映像として表示されることに替えて、あるいは、モニタ部１４２に表示されるのに併せて記録部１６０に記録される。すなわち、録画される。
【００２１】
操作部１５０は、ＨＤレコーダ１００を利用するユーザーが操作するために必要な操作スイッチが備えられている。操作部１５０には、前述した録画スイッチ１５０ａの他、記録部１６０に記録された番組データをモニタ部１４２に再生する再生スイッチ１５０ｂ、再生位置戻し手段となる再生位置戻しスイッチ１５０ｃ、未再生番組データ消去手段となる未再生番組データ消去スイッチ１５０ｄ、ダビング手段となるダビングスイッチ１５０ｅ、データ種別変更スイッチ１５０ｆ、情報内容選択手段となる表示内容選択スイッチ１５０ｇ等が備えられている。
【００２２】
ユーザーにより必要な操作スイッチが操作されると、操作された操作スイッチに対応した制御信号が制御部１１０に送出される。制御部１１０は、この制御信号を受けて、制御信号の内容に対応した処理を実行する。なお、操作部１５０は、ＨＤレコーダ１００に一体に設ける他、この操作部１５０をＨＤレコーダ１００とは別体にし、いわゆるリモコン機として、ＨＤレコーダ１００を遠隔操作する構成としてもよい。
【００２３】
なお、操作部１５０をリモコン機として構成する場合には、操作部１５０にテレビ部１４０のチャンネル選択部１４１を操作するチャンネル選択部１４１Ａを備える構成としてもよい。このように構成することにより、リモコン機として構成される操作部１５０によりチャンネルの選択を遠隔にて行うことができる。
【００２４】
記録部１６０には、チューナ部１２０で受信された番組データのうち、録画スイッチ１５０ａにより記録部１６０への記録が行われた番組データが記録されている。記録部１６０に記録されている番組データは、未再生番組データ１６０Ａ、または既再生番組データ１６０Ｂとして記録されている。そして、未再生番組データ１６０Ａ、または既再生番組データ１６０Ｂの中から、再生を希望する番組データを再生スイッチ１５０ｂにより選択してオン操作することにより、モニタ部１４２に選択された番組映像が再生される。未再生番組データ１６０Ａと既再生番組データ１６０Ｂの内容については後述する。
【００２５】
出力チャネル切替部１７０は、記録部１６０からテレビ部１４０に出力される番組データを、再生用に割り振られた再生用チャンネル、または後述する未使用チャンネルのいずれか一方に対して選択的に出力するように切り替えるもので、再生スイッチ１５０ｂの操作に連動して動作する。再生スイッチ１５０ｂがオン操作されたときには、記録部１６０の番組データを再生用チャンネルに出力する。これに対し、再生スイッチ１５０ｂがオフの状態においては、記録部１６０の番組データを未使用チャンネルに出力する。
【００２６】
未使用チャンネルとは、テレビ放送局において、番組を配信するための周波数設定をしていないチャンネルのことを言う。すなわち、テレビ部１４０のチャンネル選択部１４１において、この未使用チャンネルを選択しても、テレビ放送局からの映像信号の入力がないため、通常の場合、モニタ部１４２の画面は、例えば、いわゆるブリザード画面となったり、あるいは、何の映像もない画面となる。本実施の形態では、上述するように、この未使用チャンネルを記録部１６０の未再生番組データ１６０Ａの再生に使用する。
【００２７】
ＨＤレコーダ１００の構成は、概略、上述のようになっている。次に、ＨＤレコーダ１００の構成の細部とその動作について説明する。
【００２８】
制御部１１０は、記録部１６０に記録されている未再生番組データ１６０Ａおよび既再生番組データ１６０Ｂを管理する記録データ管理部１１０ａを有する。この記録データ管理部１１０ａは、記録部１６０に記録されている番組データについて、一度も再生されたことがないか、あるいは、再生されたとしても、データ量の所定量以下、または未満しか再生されたことのない番組データを、再生されたことのない番組データとしてみなし、未再生番組データ１６０Ａとして管理している。すなわち、未再生番組データ１６０Ａは、過去に再生されたことのない番組データの種別として管理されている。この未再生番組データ１６０Ａは、未再生の番組データが１つだけしかないときは、１つの番組データを有し、未再生の番組データが複数あるときは、複数の番組データを有する。以下の説明において、単に未再生番組データ１６０Ａと記載するときは、基本的に未再生の個々の番組データを言うものとする。なお、チューナ部１２０で受信された番組データが、録画スイッチ１５０ａにより記録部１６０に最初に記録される際には、未再生番組データ１６０Ａとして記録部１６０に記録される。
【００２９】
一方、過去に未再生番組データ１６０Ａが、そのデータ量の所定量以上または所定量を超える量を再生された場合には、この未再生番組データ１６０Ａは、再生されたものとみなし、既再生番組データ１６０Ｂとして管理している。すなわち、既再生番組データ１６０Ｂは、過去に再生されたことのある番組データの種別として管理されている。この既再生番組データ１６０Ｂは、既再生の番組データが１つだけしかないときは、１つの番組データを有し、既再生の番組データが複数あるときは、複数の番組データを有する。この既再生番組データ１６０Ｂについても、以下の説明において、単に既再生番組データ１６０Ｂと記載するときは、基本的に既再生の個々の番組データを言うものとする。
【００３０】
未再生番組データが再生されたとみなすかみなさいかのデータの所定量としては、例えば、１／３とする。すなわち、１／３以上または１／３を超えるデータが再生されたことのある未再生番組データについては、既再生番組データ１６０Ｂとみなし、再生されたデータ量が１／３以下、または１／３に満たない場合には、未再生番組データ１６０Ａとみなす。なお、番組データが再生されたとみなすかみなさいかの所定量としては、１／３に限らず、１／４、あるいは２／３等、番組の内容が把握できる程度等を鑑みて決める適宜の値とすることができる。
【００３１】
制御部１１０は、再生スイッチ１５０ｂの操作状態を受けて、出力チャンネル切替部１７０の動作を制御する出力チャンネル切替制御部１１０ｂを有する。再生スイッチ１５０ｂがオフの状態、すなわちユーザーにより再生操作が行われない状態では、出力チャンネル切替制御部１１０ｂは、出力チャンネル切替部１７０を未使用チャネル側に切り替える。そして、制御部１１０は、再生記録データ管理部１１０ａの管理内容に基づき、未再生番組データ１６０Ａを、テレビ部１４０の未使用チャンネルに対して出力する。したがって、ユーザーがチャンネル選択部１４１において未使用チャンネルを選択すると、この未使用チャンネルに未再生番組データ１６０Ａがモニタ部１４２の画面に映像として再生されていることになる。そのため、ユーザーに対し、未再生番組データ１６０Ａの視聴が促されることになる。すなわち、未再生番組データ１６０Ａが在ることをメッセージとして表示することに比べて、実際に未再生番組データ１６０Ａをモニタ部１４２に映像として表示することにより、未再生番組データ１６０Ａの視聴が効果的に促される。また、未使用チャンネルに未再生番組データ１６０Ａをモニタ部１４２に映像として表示することにより、ユーザーは、表示されている映像をテレビ放送局が放映している番組として認識し、そのまま視聴が継続されることが期待でき、結果として視聴が促されることにもなる。
【００３２】
記録データ管理部１１０ａは、未再生番組データ１６０Ａに含まれる個々の番組データについての記録日時についても管理している。したがって、制御部１１０に対して、予め、未再生番組データ１６０Ａを未使用チャンネルに再生する順番を、番組データの記録日時の古いもの順、あるいは新しいもの順、またはランダム等、適宜に設定しておくことにより、制御部１１０は、記録日時に関する管理情報に基づき、未再生番組データ１６０Ａを設定した順番で、未使用チャンネルに出力する。
【００３３】
制御部１１０は、テレビ部１４０のチャンネル選択部１４１において選択されているチャンネルを判断する未使用チャンネル選択検出手段ともなる選択チャンネル判断部１１０ｃを有する。この選択チャンネル判断部１１０ｃは、未使用チャンネルが選択されていると、未使用チャンネルによって未再生番組データ１６０Ａが再生されていると言う信号を制御部１１０に送信する。
【００３４】
制御部１１０は、未使用チャンネルが選択され、未再生番組データ１６０Ａがモニタ部１４２に再生されている状態で、操作部１５０の再生位置戻しスイッチ１５０ｃがオン操作された場合には、この未使用チャンネルで再生中の未再生番組データ１６０Ａの番組を最初から再生する。
【００３５】
すなわち、制御部１１０は、チャンネル選択部１４１において未使用チャンネルが選択されていると選択チャンネル判断部１１０ｂが判断し、再生位置戻しスイッチ１５０ｃがオン操作されたと判断した場合には、再生されている未再生番組データ１６０Ａを最初から再生する。つまり、未再生番組データ１６０Ａが、例えば、Ａ、Ｂ、Ｃ、Ｄの４つの番組のデータであり、現在再生している番組データが、Ｂである場合には、Ｂ番組の最初に戻り、Ｂ番組の番組データの再生を行なう。
【００３６】
このような構成とすることにより、ユーザーがチャンネル選択部１４２において未使用チャンネルを選択したとき、再生されている未再生番組データ１６０Ａの番組が途中である場合に、この番組を最初から観たいと思ったときは、再生位置戻しスイッチ１５０ｃをオン操作することにより、この番組を最初から再生することができる。
【００３７】
ユーザーが、既再生番組データ１６０Ｂ、あるいは未再生番組データ１６０Ａの中の任意の番組データを視聴したと考えた場合には、操作部１５０の再生スイッチ１５０ｂをオン操作する。この再生スイッチ１５０ｂのオン操作を受けて、出力チャンネル切替制御部１１０ｂは、出力チャンネル切替部１７０の出力チャンネルを再生設定チャンネルに切り替える。すなわち、ユーザーがチャンネル選択部１４１において、再生設定チャンネルを選択し、記録部１６０の中から再生を希望する番組データを指定して、再生スイッチ１５０ｂをオン操作することにより、出力チャンネル切替部１７０の出力チャンネルが再生設定チャンネルに切り替わり、モニタ部１４２には指定された番組映像が再生される。
【００３８】
制御部１１０は、未再生番組データ１６０Ａの番組データを個別に消去する未再生番組データ消去手段となる未再生番組データ消去制御部１１０ｄを有する。制御部１１０は、未使用チャンネルが選択され、未再生番組データ１６０Ａがモニタ部１４２に再生されている状態で、操作部１５０の未再生番組データ消去スイッチ１５０ｄがオン操作された場合には、未再生番組データ消去制御部１１０ｃにより再生中の未再生番組データ１６０Ａの番組データを消去する。
【００３９】
すなわち、制御部１１０は、チャンネル選択部１４１において未使用チャンネルが選択されていると選択チャンネル判断部１１０ｂが判断された状態で、未再生番組データ消去制御部１１０ｄにおいて未再生番組データ消去スイッチ１５０ｄがオン操作されたと判断した場合には、再生されている未再生番組データ１６０Ａの番組データを消去する。
【００４０】
このような構成とすることにより、ユーザーがチャンネル選択部１４１において未使用チャンネルを選択し、再生されている未再生番組データ１６０Ａの番組を視聴した際、この未再生番組データが不要のものであると考える場合に、未再生番組データ消去スイッチ１５０ｄをオン操作するという簡単な操作により、再生中の番組データを消去することができる。
【００４１】
制御部１１０は、未使用チャンネルにおいて再生されている未再生番組データ１６０Ａの番組データの再生位置を判断する再生位置判断部１１０ｅと、ユーザーに各種の所定のメッセージ表示を行う表示制御部１１０ｆ、さらに、記録部１６０に記録されている番組データを記録部１６１にダビングするダビング手段となるダビング制御部１１０ｈを有する。制御部１１０は、未使用チャンネルが選択され、未再生番組データ１６０Ａがモニタ部１４２に再生され、再生されている番組データが最後まで再生されたと再生位置判断部１１０ｅにおいて判断された場合には、表示制御部１１０ｆによりモニタ部１４２に、再生が最後まで行われた未再生番組データ１６０Ａの番組データの消去をするかしないかをたずねるメッセージと、この番組データを記録部１６１にダビングするかどうかをたずねるメッセージを表示する。このメッセージを受けて、ユーザーが、未再生番組データ消去スイッチ１５０ｄをオン操作すると、これを受けて、未再生番組データ消去制御部１１０ｄが、再生を終わった未再生番組データ１６０Ａの番組データの消去を行う。ここで、再生位置判断部１１０ｅと表示制御部１１０ｆが消去確認手段を構成している。
【００４２】
このように再生を終了した再生番組データ１６０Ａの番組データの消去を促す表示を行うことにより、視聴済みの番組データが記録部１６０に蓄積され、記録容量を増やしてしまうことを防ぐことができる。
【００４３】
これに対し、操作部１５０のダビングスイッチ１５０ｅがオン操作された場合には、これを受けて、ダビング制御部１１０ｈが、再生を終わった未再生番組データ１６０Ａの番組データを記録部１６１にダビングする。
【００４４】
このように表示制御部１１０ｆが、再生を終了した未再生番組データ１６０Ａの番組データのダビングを促す表示をモニタ部１４２に行うことにより、視聴された番組データが保存する必要がある場合に、記録部１６１に記録することにより、保存が確実なものとなる。また、記録部１６１はＤＶＤであるので、容易に携帯できる番組データとして保存することができる。このように、表示制御部１１０ｆがダビング確認手段ともなる。なお、制御部１１０は、記録部１６０に記録されている番組データを記録部１６１にダビングした後、表示制御部１１０ｆにより、モニタ部１４２に、ダビングがされた未再生番組データ１６０Ａの番組データの消去をするかしないかをたずねるメッセージを表示するようにしてもよい。このメッセージを受けて、ユーザーが、未再生番組データ消去スイッチ１５０ｄをオン操作すると、これを受けて、未再生番組データ消去制御部１１０ｄが、ダビングを終わった未再生番組データ１６０Ａの消去を行う。
【００４５】
このように再生とダビングが終了した未再生番組データ１６０Ａの番組データの消去を促す表示を行うことにより、視聴済みでかつダビングが終了した番組データが記録部１６０に蓄積され、記録容量を増やしてしまうことを防ぐことができる。
【００４６】
制御部１１０は、未使用チャンネルが選択されている時間を判断する未使用チャンネル選択時間判断部１１０ｇ、および未再生番組データ１６０Ａの番組データを個別に既再生番組データに変更するデータ種別変更制御部１１０ｉを有する。制御部１１０は、計時手段ともなる未使用チャンネル選択時間判断部１１０ｇによって、未使用チャンネルが所定時間、例えば、継続して１５分間以上選択され、かつ、選択された期間中に未再生番組データ１６０Ａが、このデータ量の所定量（例えば、１／３）以上または所定量を超える量が再生されたと判断した場合には、この未再生番組データ１６０Ａを、データ種別変更制御部１１０ｉにより、既再生番組データ１６０Ｂのデータ種別へと変更する。この判断をするための継続時間は、１５分間以上に限らず、１０分以上あるいは５分以上としてもよい。
【００４７】
また、未使用チャンネル選択時間判断部１１０ｇでは、選択されている時間を計時する替わりに、未使用チャンネルが選択されたことのみを判断し、選択された期間内に、再生されている未再生番組データ１６０Ａが、どの位のデータ量を再生されたかを制御部１１０が判断するようにしてもよい。そして、再生されたデータ量が所定量以上または所定量を超える量が再生されたと判断した場合には、この未再生番組データ１６０Ａを、データ種別変更制御部１１０ｉにより、既再生番組データ１６０Ｂのデータ種別へと変更するようにしてもよい。なお、未使用チャンネルが選択されたことの判断は、選択チャンネル判断部１１０ｃにおいて行なってもよい。所定量は、上述したように、１／３に限らず、１／４、あるいは２／３等、番組の内容が把握できる程度等を鑑みて決める適宜の値とすることができる。
【００４８】
また、未使用チャンネルが選択された後の未再生番組データ１６０Ａの再生量については判断することなく、所定時間以上、例えば、１５分間以上未使用チャンネルが継続して選択されたかどうかのみを判断し、１５分間以上継続して選択されたと判断した場合には、この未再生番組データ１６０Ａを、データ種別変更制御部１１０ｉにより、既再生番組データ１６０Ｂのデータ種別へと変更するようにしてもよい。なお、継続時間は、１５分間以上に限らず、１０分以上あるいは５分以上としてもよい。
【００４９】
このように、所定時間以上またはこれを越える時間継続して再生されたり、あるいは所定量以上または所定量を超える量のデータが再生された未再生番組データ１６０Ａを、既再生番組データ１６０Ｂに変更することにより、未再生番組データ１６０Ａの番組データの数を減らすことができる。未再生番組データ１６０Ａの番組データの数が多くなると、未使用チャンネルで再生される番組数が多くなり、未使用チャンネルにおいても再生される機会が少なくなったり、ときにはまったく再生されることのない番組データが発生してしまう問題がある。これに対し、未使用チャンネルが選択されている期間中に、所定量のデータが再生された未再生番組データ１６０Ａの番組データを既再生番組データ１６０Ｂの番組データとすることで上述の問題が解消される。
【００５０】
なお、未使用チャンネルにおいて未再生番組データ１６０Ａの番組データが再生されている際に、操作部１５０のデータ種別変更スイッチ１５０ｆをオン操作すると、これを受けて、データ種別変更手段となるデータ種別変更制御部１１０ｉは、再生されている未再生番組データ１６０Ａのデータ種別を既再生番組データ１６０Ｂに変更する。すなわち、未使用チャンネルの選択している間に、再生量が、所定量以下あるいは所定量に満たなくても、データ種別変更スイッチ１５０ｆをオン操作することにより、再生されている未再生番組データ１６０Ａのデータ種別を既再生番組データ１６０Ｂに変更することができる。
【００５１】
操作部１５０には、情報内容選択手段となる表示内容選択スイッチ１５０ｇが備えられている。この表示内容選択スイッチ１５０ｇは、未使用チャンネルにおけるモニタ部１４２の表示内容を、上述した、未再生番組データ１６０Ａの映像の表示と、以下に述べる未再生番組データ１６０Ａに関する未再生番組情報表に併せてＥＰＧ（電子番組表）が表示される「情報表示」とに切り替える。すなわち、表示制御部１１０ｆは、表示内容選択スイッチ１５０ｇの選択により、モニタ部１４２の表示内容を切り替える。
【００５２】
記録データ管理部１１０ａは、未再生番組データ１６０Ａについての情報を未再生番組情報表として管理している。未再生番組情報表には、未再生の番組の数、番組のタイトル、番組の録画時間、記録の日時等が記載されている。チャンネル選択部１４１において、未使用チャンネルが選択されているときに、表示内容選択スイッチ１５０ｇにより、「情報表示」が選択された場合には、これを受けて、表示制御部１１０ｆは、記録データ管理部１１０ａに管理されている未再生番組情報表とＥＰＧとを、例えば、ＥＰＧの横に未再生番組情報表が配列されるように表示画面を合成した情報表示データを未使用チャンネルに出力する。すなわち、モニタ部１４２には、未再生番組情報表とＥＰＧの両方が表示される。
【００５３】
このように、チャンネル選択部１４１において、未使用チャンネルが選択されているときに、表示内容選択スイッチ１５０ｇを「情報表示」に選択する簡単な操作で、ＥＰＧを表示することができる。また、ＥＰＧに併せて未再生番組情報表が表示されることで、未再生番組情報を見る機会が増える。すなわち、ＥＰＧを見たユーザーが、現在またはこれから放送されるテレビ番組が面白くないと判断したときに、未再生番組情報表を見て、未再生番組データ１６０Ａを視聴するきっかけとなる。
【００５４】
なお、未使用チャンネルが複数チャンネルあれば、そのうちの１つのチャンネルを未再生番組データ１６０Ａの映像を表示するチャンネルに使用し、他の１つのチャンネルを未再生番組情報表とＥＰＧの表示を行うチャンネルとして使用するように構成してもよい。このように構成した場合には、表示内容選択スイッチ１５０ｇは設ける必要がなくなり、チャンネルを切り替えるだけで、情報表示を観ることができる。
【００５５】
「情報表示」の内容は、未再生番組情報表のみとしてもよい。このような構成にした場合には、チャンネル選択部１４１において、未使用チャンネルが選択されているときに、表示内容選択スイッチ１５０ｇにより、「情報表示」を選択した場合には、これを受けて、表示制御部１１０ｆは、記録データ管理部１１０ａに管理されている未再生番組情報表を情報表示データとして未使用チャンネルに出力する。すなわち、モニタ部１４２には、未再生番組情報表が表示される。これにより、未再生番組情報表を見たユーザーに対して未再生番組データ１６０Ａの視聴を促すことができる。
【００５６】
また、未使用チャンネルが複数ある場合には、未使用チャンネルにジャンルを設定してもよい。例えば、５チャンネルはスポーツの番組データが再生されるチャンネル、７チャンネルはドラマの番組データが再生されるチャンネルというように、チャンネル毎に、再生される番組のジャンルを設定する。そして、各ジャンルの未使用チャンネルには、それぞれ対応したジャンルの未再生番組データを再生するようにする。このように、未使用チャンネルにジャンルを設定することにより、ユーザーに対して、ユーザーの見たい（興味のある）ジャンルの未使用チャンネルを選択させる機会が増える。つまり、ユーザーにとって興味のあるジャンルの未再生番組は、ユーザーの目に留まれば見続けられる可能性が高い。そのため、ユーザーが選択したジャンルの未使用チャンネルに再生されている未再生番組データの視聴が効果的に促されることになる。
【００５７】
（変形例）
上述実施の形態に示すＨＤレコーダ１００は、ハードディスクドライブ内蔵型テレビとして構成されるが、図２に示すように、ＨＤレコーダ２００をテレビ部としてのテレビ装置３００と別体の構成としてもよい。この図２に示すＨＤレコーダ２００において、図１に示すＨＤレコーダ１００と同様の機能を果たす構成部分については、同一の符号を付し、その説明を省略する。
【００５８】
ＨＤレコーダ２００は、分配器２１０を有し、この分配器２１０がアンテナ部１１２に接続される。したがって、チューナ部１２０は、分配器２１０を介してアンテナ部１１２に接続されることになる。また、テレビ・ビデオ切替スイッチ２２０が設けられ、これをテレビ装置３００側に切り替えているときは、アンテナ部１１２からの電波が分配器２１０を介して直接再生部となるテレビ部３００に入力される。また、チューナ部１２０を介してアンテナ部１１２で受信した電波で番組を視聴する場合には、モニタ部１４２の周囲の明るさに合わせてモニタ部１４２の画面の明るさを自動調整するＥＥ（Ｅｌｅｃｔｒｉｃ  Ｅｙｅ）回路２３０、およびビデオ信号を再生設定チャンネルの電波信号に変換するＲＦ（Ｒａｄｉｏ  Ｆｒｅｑｕｅｎｃｙ）コンバータ２４０を介して、電波信号がテレビ装置３００に入力する。
【００５９】
記録部１６０に記録されている番組データ１６０Ａ，１６０Ｂおよび記録部１６１に記録されている番組データおよび未再生番組表とＥＰＧの表示データは、ＲＦコンバータ２４０を介してテレビ装置３００に入力される。
【００６０】
なお、チャンネル選択部１４１は、ＨＤレコーダ１００においては、テレビ部１４０に備えられているものであるが、ＨＤレコーダ２００においては、テレビ装置３００とは別に備えられている。ＨＤレコーダ２００におけるチャンネル選択部１４１の機能は、ＨＤレコーダ１００におけるチャンネル選択部１４１と同一であり、チューナ部１２０で受信された電波の周波数の中から希望する番組の電波を選択しテレビ装置３００に入力させる。
【００６１】
分配器２１０、テレビ・ビデオ切替スイッチ２２０、ＥＥ回路２３０、ＲＦコンバータ２４０が付加された点を除いて、他の構成部分は、上述したＨＤレコーダ１００と同様の構成であるので、その説明については省略する。
【００６２】
上述の変形例において、先のＨＤレコーダ１００と同様の効果を有する。すなわち、  本発明の録画再生装置によれば、ユーザーに対して未再生番組の視聴を効果的に促すことができる。
【００６３】
以上、上述の実施の形態およびその変形例は、本発明の要旨を変更しない限り、種々変更することができる。例えば、記録手段としてハードディスクとしたが、半導体メモリや光記録媒体を記録手段としてもよい。また、記録の対象は映像と音の他、映像のみ、あるいは音のみを対象としたものとしてもよい。
【図面の簡単な説明】
【００６４】
【図１】本発明の実施の形態に係るＨＤレコーダの構成例を示すブロック図である。
【図２】本発明の実施の形態に係るＨＤレコーダの変形例の構成例を示すブロック図である。
【符号の説明】
【００６５】
１００  …  ＨＤレコーダ（記録再生装置）
１１０ｃ  …  選択チャンネル判断部（未使用チャンネル選択検出手段）
１１０ｄ  …  未再生番組データ消去制御部（未再生番組データ消去手段）
１１０ｅ  …  再生位置判断部（消去確認表示手段）
１１０ｆ  …  表示制御部（消去確認表示手段、ダビング確認表示手段）
１１０ｇ  …  未使用チャンネル選択時間判断部（計時手段）
１１０ｈ  …  ダビング制御部（ダビング手段）
１１０ｉ  …  データ種別変更制御部（データ種別変更手段）
１４０  …  テレビ部（再生部）
１５０ｃ  …  再生位置戻しスイッチ（再生位置戻し手段）
１５０ｄ  …  未再生番組データ消去スイッチ（未再生番組データ消去手段）
１５０ｅ  …  ダビングスイッチ（ダビング手段）
１５０ｆ  …  データ種別変更スイッチ
１５０ｇ  …  表示内容選択スイッチ（情報内容選択手段）
１６０  …  記録手段
１６０Ａ  …  未再生番組データ
１６０Ｂ  …  既再生番組データ
３００  …  テレビ装置（テレビ部、再生部）
【図１】
2007318428.tif 000003
【図２】
2007318428.tif 000004